(57)【要約】【課題】  練り歯磨き等の入った底が平らに閉じられたチューブ容器の内容物を残さず絞り出せる、２本のローラを用いたコンパクトなチューブ絞り器を提供する。【解決手段】  ２本のローラ（１），（１）を弾性曲げ可能な軸（２），（２）に回動可能に設けて、その軸（２），（２）を平行でかつローラ（１），（１）間に隙間（４）を保って側板（３），（３）に固着する。そして、ローラ（１）には、中央の一部の軸外周接触部（５）でのみ軸（２）に回動可能に接するように、軸外周接触部（５）の両側に逃げ部（６），（６）を設ける。また、隙間（４）は、対象チューブ容器（７）の押しつぶされたチューブのみの厚さよりも小さく設定することを特徴とする。【選択図】図１
2014015257.tif 000002
【特許請求の範囲】
【請求項１】
２本のローラ（１），（１）を弾性曲げ可能な軸（２），（２）に回動可能に設けて、その軸（２），（２）を平行でかつローラ（１），（１）間に隙間（４）を保って側板（３），（３）に固着する。そして、ローラ（１）には、中央の一部の軸外周接触部（５）でのみ軸（２）に回動可能に接するように、軸外周接触部（５）の両側に逃げ部（６），（６）を設ける。また、隙間（４）は、対象チューブ容器（７）の押しつぶされたチューブのみの厚さよりも小さく設定したチューブ絞り器。
【請求項２】
軸（２），（２）が中空軸である請求項１記載のチューブ絞り器。
【請求項３】
１枚の側板（３）と２本の軸（２），（２）を一体で成型した請求項１記載のチューブ絞り器。
【発明の詳細な説明】
【技術分野】
【０００１】  この発明は、練り歯磨き等の入った底が平らに閉じられたチューブ容器の内容物を残さず絞り出せる、２本のローラを用いたコンパクトなチューブ絞り器に関するものである。
【背景技術】
【０００２】  従来、２本のローラを用いたコンパクトなチューブ絞り器としては、２本のローラ間の隙間が一定のものが提案されている。（例えば、特許文献１参照）
【先行技術文献】
【特許文献】
【０００３】
【特許文献１】  実開昭６３−１４９８４２
【発明の概要】
【発明が解決しようとする課題】
【０００４】  これには次のような欠点があった。
このチューブ絞り器は、２本のローラ間の隙間に内容物をある程度使用したチューブ容器を底から通して、ローラ間でチューブを締め付けることにより内容物を絞り出すものである。
従って、例えば練り歯磨き入りチューブ容器の場合、底部の厚さが押しつぶされたチューブのみの厚さより約０．５ｍｍ程大きいので、これを対象にしたチューブ絞り器のローラ間の隙間は、底部の厚さ以上にする必要がある。故に、このチューブ絞り器を使用すると、ローラ間で締め付けられて押しつぶされたチューブ中に約０．５ｍｍ以上の厚さの内容物が残ってしまう欠点があった。
本発明は、この欠点を解決するためになされたものである。
【課題を解決するための手段】
【０００５】  ２本のローラ（１），（１）を弾性曲げ可能な軸（２），（２）に回動可能に設けて、その軸（２），（２）を平行でかつローラ（１），（１）間に隙間（４）を保って側板（３），（３）に固着する。そして、ローラ（１）には、中央の一部の軸外周接触部（５）でのみ軸（２）に回動可能に接するように、軸外周接触部（５）の両側に逃げ部（６），（６）を設ける。また、隙間（４）は、対象チューブ容器（７）の押しつぶされたチューブのみの厚さよりも小さく設定する。
本発明は、以上の構成よりなるチューブ絞り器である。
【発明の効果】
【０００６】  ローラ（１）には、中央の一部の軸外周接触部（５）でのみ弾性曲げ可能な軸（２）に回動可能に接するように、軸外周接触部（５）の両側に逃げ部（６），（６）を設けてあるので、対象が上記の例の練り歯磨き入りチューブ容器（７）であっても、チューブ絞り器のローラ（１），（１）間の隙間（４）に内容物を半分程度使用したチューブ容器（７）を底（８）から力を入れて押し込めば、底（８）の厚さに応じて軸（２），（２）に弾性曲がりが生じることにより隙間（４）が広がり、ローラ（１），（１）が底（８）を通過することができる。そして、隙間（４）は押しつぶされたチューブのみの厚さよりも小さく設定されているので、ローラ（１），（１）間で締め付けられて押しつぶされたチューブ（１１）中には内容物が残ることはない。
また、ローラ（１）は、軸外周接触部（５）でのみ軸（２）に回動可能に接しているためその回動摩擦抵抗が小さいので、ローラ（１）は軸（２）に対して小さな力で回動できる。
従って、ローラ（１），（１）がチューブ容器（７）の底（８）を通過したら、ローラ（１），（１）がチューブと垂直になるようにして、２本のローラ（１），（１）を片手の親指と人差し指・中指とで挟み、矢印（１２）の向きに押し回すことによりチューブをしぼり、内容物を出口（９）側に寄せ集めることができる。そこで、通常のように、チューブの内容物で膨らんだ部分を指で押すことにより、内容物を必要量ずつ出口（９）から押し出すことができる。この時、チューブ絞り器は後退することはない。そして、チューブの内容物で膨らんだ部分が少なくなって内容物を押し出せなくなったら、再びローラ（１），（１）を指で矢印（１２）の向きに押し回して、内容物を出口（９）側に寄せ集める。このように、この二つの操作を交互に繰り返すことにより、順次内容物を押し出すことができる。
チューブ容器（７）の内容物が少なくなって前記方法では内容物を押し出せなくなったら、片手の人差し指と中指の第一関節あたりで出口（９）を挟んでそれらの指の内側を肩（１０）に当てがい、押しつぶされたチューブ（１１）を指先側のローラ（１）に沿って同じ手の親指の内側で折り曲げ、その親指でローラ（１），（１）を肩（１０）に押し付けることにより、内容物を必要量ずつ出口（９）から押し出すことができる。
さらに、この方法でも内容物を押し出せなくなったら、今度は両手を向き合わせて人差し指と中指を肩（１０）に当てがい親指でローラ（１），（１）を肩（１０）に押し付けることにより、内容物を必要量ずつ押し出せると共に内容物を出し切ることもできる。
【図面の簡単な説明】
【０００７】
【図１】  本発明の断面図である。
【図２】  本発明の斜視図である。
【図３】  本発明の使用状態をあらわした断面図である。
【図４】  本発明の通常押し出し不可能時の押し出し操作をあらわした側面図である。
【図５】  本発明の最終押し出し操作をあらわした側面図である。
【発明を実施するための形態】
【０００８】  以下、本発明の実施例について説明する。
２本のローラ（１），（１）を弾性曲げ可能な軸（２），（２）に回動可能に設けて、その軸（２），（２）を平行でかつローラ（１），（１）間に隙間（４）を保って側板（３），（３）に固着する。そして、ローラ（１）には、中央の一部の軸外周接触部（５）でのみ軸（２）に回動可能に接するように、軸外周接触部（５）の両側に逃げ部（６），（６）を設ける。また、隙間（４）は、対象チューブ容器（７）の押しつぶされたチューブのみの厚さよりも小さく設定する。
尚、軸（２）は中空軸とすることもできる。また、１枚の側板（３）と２本の軸（２），（２）を一体で成型することもできる。
本発明は以上のような構造で、これを使用するときは、
▲１▼  隙間（４）に内容物を半分程度使用したチューブ容器（７）を底（８）から力を入れて押し込み、ローラ（１），（１）が底（８）を通過したらローラ（１），（１）がチューブと垂直になるようにする。
▲２▼  ２本のローラ（１），（１）を片手の親指と人差し指・中指とで挟み、矢印（１２）の向きに押し回して、内容物を出口（９）側に寄せ集める。
▲３▼  通常のように、チューブの内容物で膨らんだ部分を指で押して内容物を必要量ずつ出口（９）より押し出して使用し、チューブの内容物で膨らんだ部分が少なくなって内容物を押し出せなくなるまでこの操作を繰り返す。
▲４▼  ▲２▼，▲３▼の操作を交互に繰り返して行い、内容物が少なくなって内容物を押し出せなくなるまでこの操作を行う。
▲５▼  片手の人差し指と中指の第一関節あたりで出口（９）を挟んでそれらの指の内側を肩（１０）に当てがい、押しつぶされたチューブ（１１）を指先側のローラ（１）に沿って同じ手の親指の内側で折り曲げ、その親指でローラ（１），（１）を肩（１０）に押し付けて、内容物を必要量ずつ出口（９）から押し出して使用し、押し出せなくなるまでこの操作を行う。
▲６▼  両手を向き合わせて人差し指と中指を肩（１０）に当てがい親指でローラ（１），（１）を肩（１０）に押し付けて、内容物を必要量ずつ押し出して使用すると共に内容物を出し切る。
▲７▼  一方の手で肩（１０）を保持し他方の手で保持版（３），（３）を保持して、チューブ絞り器をチューブ容器（７）から引き抜く。
【符号の説明】
【０００９】  １．ローラ                    ２．軸                          ３．側板
４．隙間                      ５．軸外周接触部                ６．逃げ部
７．チューブ容器              ８．底                          ９．出口
１０．肩                      １１．押しつぶされたチューブ    １２．矢印
【図１】
2014015257.tif 000003
【図２】
2014015257.tif 000004
【図３】
2014015257.tif 000005
【図４】
2014015257.tif 000006
【図５】
2014015257.tif 000007